(57)【要約】【課題】印刷物からその印刷物のデータそのものを容易に取得することができる印刷装置及びタグラベル作成装置並びにこれらを有する印刷管理システムを提供する。【解決手段】被印刷物に印刷対象であるファイルデータの印刷を行うための印刷データに基づいて印刷を行う印字ヘッド４０１と、この印字ヘッド４０１での印刷に対応して、ファイルデータの格納先情報を取得可能な無線タグラベルＴを作成するように、タグデータをタグラベル作成装置３００へ出力する制御回路４０２とを有する。【選択図】図２
2008049683.tif 000002
【特許請求の範囲】
【請求項１】
被印刷物に印刷対象であるファイルデータの印刷を行うための印刷指示信号に基づいて印刷を行う印刷手段と、
この印刷手段での印刷に対応して、前記ファイルデータを取得可能な無線タグラベルを作成するように、タグ作成指示信号をタグラベル作成装置へ出力する作成指示出力手段と
を有することを特徴とする印刷装置。
【請求項２】
請求項１記載の印刷装置において、
前記作成指示出力手段は、前記ファイルデータの格納先情報を取得可能な無線タグラベルを作成するように、タグ作成指示信号をタグラベル作成装置へ出力する
ことを特徴とする印刷装置。
【請求項３】
請求項２記載の印刷装置において、
前記ファイルデータの前記格納先情報を取得する情報取得手段を有し、
前記作成指示出力手段は、
前記情報取得手段で取得した前記格納先情報を含む前記タグ作成指示信号を、前記タグラベル作成装置へ出力する
ことを特徴とする印刷装置。
【請求項４】
請求項２又は３記載の印刷装置において、
前記作成指示出力手段は、
前記被印刷物に印刷した場合に複数枚の印刷物となる前記ファイルデータの前記格納先情報を含む１つの前記無線タグラベルを作成するように、前記タグ作成指示信号を前記タグラベル作成装置へ出力する
ことを特徴とする印刷装置。
【請求項５】
請求項２乃至４のいずれか１項記載の印刷装置において、
前記印刷手段は、情報を記憶するＩＣ回路部と情報の送受信を行うアンテナとを備えた無線タグ回路素子を配置したアンテナ基材の配置位置を表す識別子を、前記被印刷物に印刷することを特徴とする印刷装置。
【請求項６】
請求項２乃至５のいずれか１項記載の印刷装置において、
前記作成指示出力手段は、
動作モードとして、前記ファイルデータの格納先情報を取得可能な無線タグラベルを作成するための前記タグ作成指示信号を出力するタグ作成モードと、当該無線タグラベルを作成しないタグ非作成モードとを備えている
ことを特徴とする印刷装置。
【請求項７】
情報を記憶するＩＣ回路部と情報の送受信を行うアンテナとを備えた無線タグ回路素子が配置されたタグ媒体を搬送するための搬送手段と、
前記無線タグ回路素子と無線通信を介し情報送受信を行うための作成装置側通信手段と、
被印刷物に印刷対象であるファイルデータに対応した印刷を行う印刷装置から入力されたタグ作成指示信号に応じ、前記作成装置側通信手段を介し、前記無線タグ回路素子の前記ＩＣ回路部に、前記ファイルデータの格納先情報又はこれに対応する情報の書き込みを行う書き込み制御手段と
を有することを特徴とするタグラベル作成装置。
【請求項８】
請求項７記載のタグラベル作成装置において、
前記書き込み制御手段は、
前記ファイルデータの前記格納先情報としての電子アドレスを、前記無線タグ回路素子の前記ＩＣ回路部に書き込むことを特徴とするタグラベル作成装置。
【請求項９】
請求項７又は８記載のタグラベル作成装置において、
前記書き込み制御手段は、
前記ファイルデータの識別情報を前記無線タグ回路素子の前記ＩＣ回路部に書き込むことを特徴とするタグラベル作成装置。
【請求項１０】
請求項７乃至９のいずれか１項記載のタグラベル作成装置において、
前記書き込み制御手段は、
前記ファイルデータに対応する電子ファイルに関するファイル付加情報を前記無線タグ回路素子の前記ＩＣ回路部に書き込むことを特徴とするタグラベル作成装置。
【請求項１１】
請求項７乃至１０のいずれか１項記載のタグラベル作成装置において、
前記書き込み制御手段は、
前記ファイルデータへのアクセス又はアクセス後の各種処理に関する権限情報を前記無線タグ回路素子の前記ＩＣ回路部に書き込むことを特徴とするタグラベル作成装置。
【請求項１２】
請求項７乃至１１のいずれか１項記載のタグラベル作成装置において、
前記タグ媒体又はこれに貼り合わせる被印字媒体に、前記ファイルデータに対応した印字を行う印字手段を有する
ことを特徴とするタグラベル作成装置。
【請求項１３】
請求項１２記載のタグラベル作成装置において、
前記印字手段は、
前記ファイルデータの識別情報を前記タグ媒体又は前記被印字媒体に印字することを特徴とするタグラベル作成装置。
【請求項１４】
請求項１３記載のタグラベル作成装置において、
前記印字手段は、
前記ファイルデータの格納先情報を前記タグ媒体又は前記被印字媒体に印字することを特徴とするタグラベル作成装置。
【請求項１５】
被印刷物に印刷対象であるファイルデータの印刷を行うための印刷装置と、この印刷装置と協働して無線タグラベルの作成を行うタグラベル作成装置とを有する印刷管理システムであって、
前記印刷装置は、
前記ファイルデータの印刷を行うための印刷指示信号に基づいて印刷を行う印刷手段と、
この印刷手段での印刷に対応して、前記ファイルデータを取得可能な前記無線タグラベルを作成するように、タグ作成指示信号を出力する作成指示出力手段とを有し、
前記タグラベル作成装置は、
情報を記憶するＩＣ回路部と情報の送受信を行うアンテナとを備えた無線タグ回路素子が配置されたタグ媒体を搬送するための搬送手段と、
前記無線タグ回路素子と無線通信を介し情報送受信を行うための作成装置側通信手段と、
前記印刷装置の前記作成指示出力から入力された前記タグ作成指示信号に応じ、前記作成装置側通信手段を介し、前記無線タグ回路素子の前記ＩＣ回路部に、少なくとも前記ファイルデータ又はこれに対応する情報の書き込みを行う書き込み制御手段とを有する
ことを特徴とする印刷管理システム。
【請求項１６】
ファイルデータに基づき印刷された印刷物に添付された無線タグラベルに設けられ、情報を記憶するＩＣ回路部と情報の送受信を行うアンテナとを備えた無線タグ回路素子と無線通信を介し情報送受信を行うための読み取り装置側通信手段と、
この読み取り装置側通信手段を介し、前記無線タグ回路素子の前記ＩＣ回路部に記憶された前記ファイルデータの格納先情報又はこれに対応する情報を取得する読み取り装置側情報取得手段と、
この読み取り装置側情報取得手段で取得した情報を用いて前記ファイルデータの格納先へアクセスし、当該ファイルデータの内容が前記無線タグラベルの作成後に更新されているかどうかを判定する更新判定手段と
を有することを特徴とする印刷管理システム。
【発明の詳細な説明】
【技術分野】
【０００１】
本発明は、被印刷物に印刷を行う印刷装置、及び外部と情報の無線通信が可能な無線タグ回路素子を備えた無線タグラベルを作成可能なタグラベル作成装置、並びにこれら印刷装置及びタグラベル作成装置を有する印刷管理システムに関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
上記ＲＦＩＤシステムを例えば印刷物に適用した従来技術として、特許文献１に記載のものがある。この従来技術では、印刷物（出版物等のページ）に添付した無線タグに当該印刷物に関連するウェブサイトのＵＲＬ情報が記憶されており、リーダで当該無線タグ回路素子より無線タグ情報の読み取りを行うと当該ＵＲＬ情報を取得できる。これにより、印刷物の内容に関連するウェブサイトのＵＲＬ情報を確実且つ容易に取得可能としている。
【０００４】
【特許文献１】特開２００１−３０７０４２号公報
【発明の開示】
【発明が解決しようとする課題】
【０００５】
上記従来技術は、無線タグに印刷物に関連するウェブサイトのＵＲＬ情報を記憶させるものであるため、例えば会社内において新しい手続きの書式が記載された印刷物が回覧される場合等、当該印刷物のデータそのものを取得したい場合には対応することができなかった。
【０００６】
本発明の目的は、印刷物からその印刷物のデータそのものを容易に取得することができる印刷装置及びタグラベル作成装置並びにこれらを有する印刷管理システムを提供することにある。
【課題を解決するための手段】
【０００７】
上記目的を達成するために、第１の発明は、被印刷物に印刷対象であるファイルデータの印刷を行うための印刷指示信号に基づいて印刷を行う印刷手段と、この印刷手段での印刷に対応して、前記ファイルデータを取得可能な無線タグラベルを作成するように、タグ作成指示信号をタグラベル作成装置へ出力する作成指示出力手段とを有することを特徴とする。
【０００８】
本願第１発明の印刷装置においては、例えば操作端末から印刷指示信号を入力すると、印刷手段が、被印刷物に対し印刷対象であるファイルデータに対応した印刷を行う。そしてこの印刷手段による印刷に対応して、作成指示出力手段が、タグラベル作成装置へタグ作成指示信号を出力する。タグラベル作成装置ではこれに応じて、当該ファイルデータを取得可能な無線タグラベルを作成する。
【０００９】
この作成された無線タグラベルを、対応する上記印刷手段のファイルデータの印刷物に貼付するようにすれば、印刷物を手にしたユーザが当該印刷物のファイルデータの取得を意図する場合、印刷物に貼付された無線タグラベルの無線タグ回路素子に対し情報読み取りを行うことでファイルデータを取得することができる。このようにして、印刷物からその印刷物のデータそのものを容易に取得することができるので、ユーザの利便性を向上することができる。
【００１０】
第２の発明は、上記第１発明において、前記作成指示出力手段は、前記ファイルデータの格納先情報を取得可能な無線タグラベルを作成するように、タグ作成指示信号をタグラベル作成装置へ出力することを特徴とする。
【００１１】
本願第２発明の印刷装置においては、例えば操作端末から印刷指示信号を入力すると、印刷手段が、被印刷物に対し印刷対象であるファイルデータに対応した印刷を行う。そしてこの印刷手段による印刷に対応して、作成指示出力手段が、タグラベル作成装置へタグ作成指示信号を出力する。タグラベル作成装置ではこれに応じて、当該ファイルデータの格納先情報を取得可能な無線タグラベルを作成する。
【００１２】
この作成された無線タグラベルを、対応する上記印刷手段のファイルデータの印刷物に貼付するようにすれば、印刷物を手にしたユーザが当該印刷物のファイルデータの取得を意図する場合、印刷物に貼付された無線タグラベルの無線タグ回路素子に対し情報読み取りを行うことでファイルデータの格納先を取得し、これを用いてファイルデータに容易にアクセスすることが可能となる。このようにして、印刷物からその印刷物のデータそのものを容易に取得することができるので、ユーザの利便性を向上することができる。
【００１３】
第３の発明は、上記第２発明において、前記ファイルデータの前記格納先情報を取得する情報取得手段を有し、前記作成指示出力手段は、前記情報取得手段で取得した前記格納先情報を含む前記タグ作成指示信号を、前記タグラベル作成装置へ出力することを特徴とする。
【００１４】
情報取得手段で操作端末より取得した格納先情報を、作成指示出力手段でタグ作成指示信号に含ませて出力することにより、格納先情報またはこれに対応した情報を無線タグ回路素子に書き込んだ無線タグラベルを作成することができる。
【００１５】
第４の発明は、上記第２又は第３発明において、前記作成指示出力手段は、前記被印刷物に印刷した場合に複数枚の印刷物となる前記ファイルデータの前記格納先情報を含む１つの前記無線タグラベルを作成するように、前記タグ作成指示信号を前記タグラベル作成装置へ出力することを特徴とする。
【００１６】
これにより、ファイルデータを印刷したときに複数ページにわたる場合等、複数枚の印刷物を一括して取り扱ったほうが便利な場合に、それら複数の印刷物を対応させてまとめて１つの無線タグラベルを作成することで、利便性を向上することができる。
【００１７】
第５の発明は、上記第２乃至第４発明のいずれかにおいて、前記印刷手段は、情報を記憶するＩＣ回路部と情報の送受信を行うアンテナとを備えた無線タグ回路素子を配置したアンテナ基材の配置位置を表す識別子を、前記被印刷物に印刷することを特徴とする。
【００１８】
これにより、ユーザが、印刷物に対し、容易かつ確実に無線タグ回路素子を貼り付けることができる。
【００１９】
第６の発明は、上記第２乃至第５発明のいずれかにおいて、前記作成指示出力手段は、動作モードとして、前記ファイルデータの格納先情報を取得可能な無線タグラベルを作成するための前記タグ作成指示信号を出力するタグ作成モードと、当該無線タグラベルを作成しないタグ非作成モードとを備えていることを特徴とする。
【００２０】
これにより、ユーザ側で、印刷物の内容や利用態様等に応じ、ファイルデータの格納先を無線タグラベルから取得するようにして印刷物の管理をしやすくするタグ作成印刷モードと、そうでない（タグを作成しない）通常印刷モードとするかを適宜選択できるので、さらに利便性を向上することができる。
【００２１】
上記目的を達成するために、第７の発明は、情報を記憶するＩＣ回路部と情報の送受信を行うアンテナとを備えた無線タグ回路素子が配置されたタグ媒体を搬送するための搬送手段と、前記無線タグ回路素子と無線通信を介し情報送受信を行うための作成装置側通信手段と、被印刷物に印刷対象であるファイルデータに対応した印刷を行う印刷装置から入力されたタグ作成指示信号に応じ、前記作成装置側通信手段を介し、前記無線タグ回路素子の前記ＩＣ回路部に、前記ファイルデータの格納先情報又はこれに対応する情報の書き込みを行う書き込み制御手段とを有することを特徴とする。
【００２２】
本願第７発明のタグラベル作成装置においては、印刷手段が被印刷物に対し印刷対象であるファイルデータに対応した印刷を行ったときに出力されるタグ作成指示信号が入力される。そして、搬送手段で搬送されるタグ媒体に備えられた無線タグ回路素子のＩＣ回路部に対し、書き込み制御手段が、タグ作成指示信号に応じて、当該ファイルデータの格納先情報を作成装置側通信手段を介して書き込む。
【００２３】
このようにして作成された無線タグラベルを、対応する上記印刷手段のファイルデータの印刷物に貼付するようにすれば、印刷物を手にしたユーザが当該印刷物のファイルデータの取得を意図する場合、印刷物に貼付された無線タグラベルの無線タグ回路素子に対し情報読み取りを行うことでファイルデータの格納先を取得し、これを用いてファイルデータに容易にアクセスすることが可能となる。この結果、印刷物からその印刷物のデータそのものを容易に取得することができ、ユーザの利便性を向上することができる。
【００２４】
第８の発明は、上記第７発明において、前記書き込み制御手段は、前記ファイルデータの前記格納先情報としての電子アドレスを、前記無線タグ回路素子の前記ＩＣ回路部に書き込むことを特徴とする。
【００２５】
ファイルデータの格納先情報としての例えばＵＲＩ（Uniform Resource Identifier）などの電子アドレスを無線タグラベルのＩＣ回路部に書き込んでおくことにより、当該無線タグラベルの無線タグ回路素子に対し情報読み取りを行うことでファイルデータの電子アドレスを取得し、これを用いてファイルデータに容易にアクセスすることができる。
【００２６】
第９の発明は、上記第７又は第８発明において、前記書き込み制御手段は、前記ファイルデータの識別情報を前記無線タグ回路素子の前記ＩＣ回路部に書き込むことを特徴とする。
【００２７】
これにより、無線タグラベルの無線タグ回路素子に対し情報読み取りを行うことでファイルデータの識別情報（ファイル種類、番号等）を取得できるので、さらに利便性を向上することができる。
【００２８】
第１０の発明は、上記第７乃至第９発明のいずれかにおいて、前記書き込み制御手段は、前記ファイルデータに対応する電子ファイルに関するファイル付加情報を前記無線タグ回路素子の前記ＩＣ回路部に書き込むことを特徴とする。
【００２９】
これにより、無線タグラベルの無線タグ回路素子に対し情報読み取りを行うことでタグラベル作成年月日、アプリケーションバージョン情報等の電子ファイルの付加情報を取得できるので、さらに利便性を向上することができる。特にタグラベル作成年月日を書き込む場合には、当該印刷物の記載内容が最新のものであるかどうか（その後更新されていないかどうか）を判定することが可能となり、特に便利である。
【００３０】
第１１の発明は、上記第７乃至第１０発明のいずれかにおいて、前記書き込み制御手段は、前記ファイルデータへのアクセス又はアクセス後の各種処理に関する権限情報を前記無線タグ回路素子の前記ＩＣ回路部に書き込むことを特徴とする。
【００３１】
これにより、ラベルを作成するユーザの印刷物管理態様等に応じ、例えばファイルデータのダウンロードが可能な者を限定的に指定したり、あるいは各人物毎に処理動作別の権限範囲設定をしたり、若しくは人物識別をせずに各処理動作別にパスワードを設定する等が可能となり、さらに多種多様な印刷物管理が可能となる。
【００３２】
第１２の発明は、上記第７乃至第１１発明のいずれかにおいて、前記タグ媒体又はこれに貼り合わせる被印字媒体に、前記ファイルデータに対応した印字を行う印字手段を有することを特徴とする。
【００３３】
これにより、当該無線タグラベルが対応するファイルデータの印刷物用であることを視覚的に明らかにすることができ、印刷物と無線タグラベルとの結びつきを明確化できる。この結果、ラベルの貼り間違い等を確実に防止することができる。
【００３４】
第１３の発明は、上記第１２発明において、前記印字手段は、前記ファイルデータの識別情報を前記タグ媒体又は前記被印字媒体に印字することを特徴とする。
【００３５】
ファイル名称、番号、種類等のファイルデータの識別情報を無線タグラベルに印字することにより、当該無線タグラベルが対応するファイルデータの印刷物用であることを視覚的に明らかにすることができる。
【００３６】
第１４の発明は、上記第１３発明において、前記印字手段は、前記ファイルデータの格納先情報を前記タグ媒体又は前記被印字媒体に印字することを特徴とする。
【００３７】
これにより、印刷物に貼付された無線タグラベルの無線タグ回路素子に記憶され情報読み取りによって取得できるファイルデータの格納先情報を、ユーザが視覚的にも確認することができ、さらに利便性を向上することができる。
【００３８】
上記目的を達成するために、第１５の発明は、被印刷物に印刷対象であるファイルデータの印刷を行うための印刷装置と、この印刷装置と協働して無線タグラベルの作成を行うタグラベル作成装置とを有する印刷管理システムであって、前記印刷装置は、前記ファイルデータの印刷を行うための印刷指示信号に基づいて印刷を行う印刷手段と、この印刷手段での印刷に対応して、前記ファイルデータの格納先情報を取得可能な前記無線タグラベルを作成するように、タグ作成指示信号を出力する作成指示出力手段とを有し、前記タグラベル作成装置は、情報を記憶するＩＣ回路部と情報の送受信を行うアンテナとを備えた無線タグ回路素子が配置されたタグ媒体を搬送するための搬送手段と、前記無線タグ回路素子と無線通信を介し情報送受信を行うための作成装置側通信手段と、前記印刷装置の前記作成指示出力から入力された前記タグ作成指示信号に応じ、前記作成装置側通信手段を介し、前記無線タグ回路素子の前記ＩＣ回路部に、少なくとも前記ファイルデータの格納先情報又はこれに対応する情報の書き込みを行う書き込み制御手段とを有することを特徴とする。
【００３９】
本願第１５発明の印刷管理システムにおいては、例えば操作端末から印刷指示信号を印刷装置へ入力すると、印刷手段が、被印刷物に対し印刷対象であるファイルデータに対応した印刷を行う。そしてこの印刷手段による印刷に対応して、作成指示出力手段が、タグラベル作成装置へタグ作成指示信号を出力する。タグラベル作成装置ではこれに応じて、搬送手段で搬送されるタグ媒体に備えられた無線タグ回路素子のＩＣ回路部に対し、書き込み制御手段が上記タグ作成指示信号に応じて、当該ファイルデータの格納先情報（又はこれに対応する情報）を作成装置側通信手段を介して書き込み、無線タグラベルを作成する。
【００４０】
この作成された無線タグラベルを、対応する上記印刷装置によるファイルデータの印刷物に貼付するようにすれば、印刷物を手にしたユーザが当該印刷物のファイルデータの取得を意図する場合、印刷物に貼付された無線タグラベルの無線タグ回路素子に対し情報読み取りを行うことでファイルデータの格納先を取得し、これを用いてファイルデータに容易にアクセスすることが可能となる。このようにして、印刷物からその印刷物のデータそのものに容易に取得するができるので、ユーザの利便性を向上することができる。
【００４１】
上記目的を達成するために、第１６の発明は、ファイルデータに基づき印刷された印刷物に貼付された無線タグラベルに設けられ、情報を記憶するＩＣ回路部と情報の送受信を行うアンテナとを備えた無線タグ回路素子と無線通信を介し情報送受信を行うための読み取り装置側通信手段と、この読み取り装置側通信手段を介し、前記無線タグ回路素子の前記ＩＣ回路部に記憶された前記ファイルデータの格納先情報又はこれに対応する情報を取得する読み取り装置側情報取得手段と、この読み取り装置側情報取得手段で取得した情報を用いて前記ファイルデータの格納先へアクセスし、当該ファイルデータの内容が前記無線タグラベルの作成後に更新されているかどうかを判定する更新判定手段とを有することを特徴とする。
【００４２】
本願第１６発明の印刷管理システムにおいては、印刷物を手にしたユーザが当該印刷物のファイルデータの取得を意図する場合、印刷物に貼付された無線タグラベルの無線タグ回路素子に対し読み取り装置側通信手段で情報送受信を行い、読み取り装置側情報取得手段によってファイルデータの格納先情報（又はこれに対応する情報）を取得できるので、これを用いてファイルデータに容易にアクセスすることができる。さらにこのとき、更新判定手段が、当該ファイルデータの内容がラベル作成時以降に更新されているかどうかを判定することにより、当該無線タグラベルが貼付された印刷物が最新のものであるかどうかを確認することが可能となる。この結果、印刷物が最新のものではなかった場合等には、改めて当該ファイルデータ（の最新版）を印刷装置で印刷する等の方策をとることが可能となり、さらに利便性を向上することができる。
【発明の効果】
【００４３】
本発明によれば、印刷物からその印刷物のデータそのものを容易に取得することができる。
【発明を実施するための最良の形態】
【００４４】
以下、本発明の一実施の形態を図面を参照しつつ説明する。
【００４５】
図１は、本実施形態の印刷装置を有する印刷管理システムを含む印刷タグ生成システムの全体構成を表すシステム構成図である。
【００４６】
図１において、印刷管理システム１０Ａ（ここでは印刷タグ作成時の状態を示す）は、情報を記憶するＩＣ回路部１５０とこのＩＣ回路部１５０に接続されるアンテナ１５１とを備えた無線タグ回路素子Ｔo（後述の図１０参照）を有する無線タグラベルＴを作成するための上記タグラベル作成装置３００と、このタグラベル作成装置３００と例えばＵＳＢケーブル等の接続手段２を介して接続され、被印刷物（Ａ４用紙等）に印刷対象であるファイルデータの印刷を行って印刷物１を作成するプリンタ４００（印刷装置）とを備えている。また、上記印刷管理システム１０Ａ（正確にはシステムを構成するプリンタ４００）と表示部１０１及び操作部１０２等を有するＰＣ端末（又は汎用コンピュータ。以下、「ＰＣ」と記載）１００とは、有線あるいは無線による通信回線５を介し接続されており、これらにより印刷タグ生成システム２０が構成されている。
【００４７】
図２は、上記印刷タグ生成システム２０を構成するＰＣ１００（操作端末）、プリンタ４００及びタグラベル作成装置３００の詳細機能を表す機能ブロック図である。
【００４８】
この図２において、ＰＣ１００は、各種入力画面等の所定の表示を行うための上記表示部１０１と、操作者が操作入力を行うための適宜のボタン、キー、マウス等を備えた上記操作部１０２と、上記印刷物１に印刷される上記ファイルデータ等が格納されるデータベース１０３（ハードディスク又はメモリ等）と、上記プリンタ４００との間で通信回線５を介して行われる通信の制御を行う通信制御部１０４と、これら表示部１０１、操作部１０２、データベース１０３及び通信制御部１０４を含むＰＣ１００全体の動作を制御する制御回路１０５とを有する。
【００４９】
また、プリンタ４００は、被印刷物（Ａ４用紙等）に上記ＰＣ１００のデータベース１０３に格納されたファイルデータの印刷を行うための印字ヘッド４０１（印刷手段）と、この印字ヘッド４０１を含むプリンタ４００全体の動作を制御する制御回路４０２と、上記ＰＣ１００との間で通信回線５を介して行われる通信の制御を行うと共に、上記タグラベル作成装置３００との間で接続手段２を介して行われる通信の制御を行う通信制御部４０３とを有している。
【００５０】
一方、タグラベル作成装置３００は、所定間隔で無線タグ回路素子Ｔoが備えられたタグテープ３０３（タグ媒体）を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３のうち上記無線タグ回路素子Ｔoに対応した領域に所定の印字を行う印字ヘッド３０５（印字手段）と、無線タグ回路素子Ｔoとの間で無線通信により情報の送受信を行うアンテナ３０６（作成装置側通信手段）と、高周波回路３０１及び制御回路３０２と、上記プリンタ４００との間で接続手段２を介して行われる通信の制御を行う通信制御部３０８と、タグテープ３０３への印字及び無線タグ回路素子Ｔoへの上記情報書き込みが終了したタグテープ３０３を所定の長さに切断して無線タグラベルＴとするカッタ３０７と、印字ヘッド３０５に対向して設けられ、制御回路３０２により制御されてタグテープロール３０４を搬送する搬送装置３０９（搬送手段）とを有する。
【００５１】
高周波回路３０１及び制御回路３０２は、無線タグ回路素子ＴoのＩＣ回路部１５０へのアクセス情報を生成し、アンテナ３０６を介して無線タグ回路素子Ｔoへ送信し、無線タグ回路素子ＴoのＩＣ回路部１５０へ情報書き込みを行う。
【００５２】
このような構成である印刷タグ生成システム２０において、印刷タグ（詳細は後述）を作成する際には、操作者はＰＣ１００の上記操作部１０２を用いて印刷対象となるファイルデータ及びタグレイアウト等の編集入力を行うと共に、ファイルデータをデータベース１０３に保存する。これにより、ＰＣ１００から印刷データがプリンタ４００に送信され、当該印刷データに基づく印刷が被印刷物に行われて印刷物１が作成されると共に、ＰＣ１００からプリンタ４００を介してタグラベル作成装置３００にタグデータが送信され、当該タグデータに基づいて無線タグラベルＴの作成が行われる。すなわち、タグラベル作成装置３００の制御回路３０２の制御により、上記タグデータ中の印字情報に基づいた印字ヘッド３０５による印字が行われると共に、高周波回路３０１によりアクセス情報が生成され装置側アンテナ３０６を介して無線タグ回路素子Ｔoへ送信され、無線タグ回路素子ＴoのＩＣ回路部１５０へ上記タグデータ中のファイルアクセス情報（詳細は後述）等の書き込みが行われ、無線タグラベルＴが作成される。そして、操作者がプリンタ４００で作成された印刷物１のタグ貼り付け領域にタグラベル作成装置３００で作成された無線タグラベルＴを貼り付けることで、印刷タグ１−Ｔが生成される（後述の図９参照）。
【００５３】
図３は、上記印刷タグ作成時にＰＣ１００の制御回路１０５によって実行される制御手順を表すフローチャートである。なお、このフローは、操作者により適宜の印刷タグ作成指示入力が行われた際に、制御回路１０５により開始される。
【００５４】
まずステップＳ３において、印刷物１に無線タグラベルＴを貼り付け印刷タグ１−Ｔを作成する「タグ作成印刷モード」であるか、無線タグラベルＴを貼り付けずに通常の印刷物１を作成する「通常印刷モード」であるかを表すフラグＦを、「通常印刷モード」を表す０に初期化する。
【００５５】
次のステップＳ１００では、操作者により操作部１０２を介して入力されたファイルデータ及びそのレイアウト情報に基づき、印刷データを作成する印刷データ作成処理を行う（詳細手順は後述の図４参照）。
【００５６】
次のステップＳ５では、上記ステップＳ１００において入力されたファイルデータが、ファイル名をつけてデータベース１０３に保存されたか否かを判定する。操作者により操作部１０２を介して保存指示入力がされるまで本ステップＳ５を繰り返し、入力があった場合には判定が満たされて次のステップＳ１０に移る。
【００５７】
ステップＳ１０では、上記ステップＳ５で入力されたファイル名を含む印字情報（無線タグラベルＴに印字される印字情報）と、無線タグ回路素子Ｔoの識別情報（タグＩＤ）及びファイルデータが保存された格納先を表すファイルアクセス情報を有するタグ書き込み情報とを含むタグデータの作成を行う。なお、上記ファイルアクセス情報は例えば「Ｃ：￥・・・￥・・・￥ファイル名」という電子アドレス情報であり、通常ファイルデータのファイル名情報を含むものである。
【００５８】
次のステップＳ１５では、先のステップＳ１００で作成した印刷データ（印刷指示信号）を、通信制御部１０４及び通信回線５を介してプリンタ４００に送信する。
【００５９】
次のステップＳ２０では、プリンタ４００による印刷が完了したか否かを、プリンタ４００から通信回線５を介して印刷完了信号を受信したか否かにより判定する。プリンタ４００から印刷完了信号を受信していない場合にはステップＳ２５に移り、予め定められた所定の時間が経過したか否かを判定する。経過していない場合にはステップＳ２０に戻り、再びプリンタ４００から印刷完了信号を受信したか否かを判定する。所定の時間が経過している場合には、後述のステップＳ５０に移り、表示部１０１に制御信号を出力して対応するエラー表示（例えば「印刷が正常に終了しませんでした」等）を行わせ、操作者に対しエラー報知を行う（表示に限らず音声で報知してもよい）。そして、本フローを終了する。
【００６０】
一方、上記ステップＳ２０において、プリンタ４００から印刷完了信号を受信している場合には、判定が満たされて次のステップＳ３０に移る。
【００６１】
ステップＳ３０では、上記フラグＦが「タグ作成印刷モード」を表す１であるか否かを判定する。操作者によりタグ作成印刷モードの入力がされている場合にはフラグＦが１となっているので（後述の図４のステップＳ１４０参照）、判定が満たされて次のステップＳ３５に移る。
【００６２】
ステップＳ３５では、先のステップＳ１０で作成したタグデータを、通信制御部１０４及び通信回線５を介してプリンタ４００に送信する。なお、このタグデータは、その後プリンタ４００からタグラベル作成装置３００に送信される。
【００６３】
次のステップＳ４０では、タグラベル作成装置３００による無線タグラベルＴの作成が完了したか否かを、タグラベル作成装置３００からプリンタ４００を経由して送信されるタグ作成完了信号を受信したか否かにより判定する。タグ作成完了信号を受信していない場合にはステップＳ４５に移り、予め定められた所定の時間が経過したか否かを判定する。経過していない場合にはステップＳ４０に戻り、再びタグラベル作成装置３００から（プリンタ４００を経由して）タグ作成完了信号を受信したか否かを判定する。所定の時間が経過している場合には、ステップＳ５０に移り、表示部１０１に制御信号を出力して対応するエラー表示（例えば「タグラベル作成が正常に終了しませんでした」等）を行わせ、操作者に対しエラー報知を行う（表示に限らず音声で報知してもよい）。そして、本フローを終了する。
【００６４】
一方、上記ステップＳ４０において、タグラベル作成装置３００から（プリンタ４００を経由して）タグ作成完了信号を受信している場合には、本フローを終了する。
【００６５】
なお、先のステップＳ３０において、操作者によりタグ作成印刷モードの入力がされていない場合にはフラグＦが０のままなので（後述の図４のステップＳ１４０等参照）、判定が満たされずに本フローを終了する。
【００６６】
図４は、上記ステップＳ１００の詳細手順を表すフローチャートである。
【００６７】
まずステップＳ１１０において、プリンタ４００で被印刷物に対し印刷する印刷対象であるファイルデータが、操作者により操作部１０２を介して入力されたか否かを判定する。入力があるまで本ステップ１１０を繰り返し、入力があった場合には判定が満たされて次のステップＳ１２０に移る。
【００６８】
ステップＳ１２０では、操作者により操作部１０２を介して行われるファイルデータの入力が完了したかどうかを判定する。この判定は、例えばファイルデータの保存が行われたか否か、又は印刷指示入力があったか否か等によって行われる。ファイルデータの入力が完了するまで本ステップＳ１２０を繰り返し、入力が完了した場合には判定が満たされて次のステップＳ１３０に移る。
【００６９】
ステップＳ１３０では、タグ作成印刷モードであるか否かを判定する。この判定は、操作者によりタグ作成印刷モードが選択入力されたか否かにより判定される。なお、このモード選択は、例えば表示部１０１に「タグ作成印刷モード」又は「通常印刷モード」の選択画面を表示し、操作者が画面にしたがって操作部１０２を介して選択入力することにより行われる。タグ作成印刷モードである場合には、判定が満たされて次のステップＳ１４０に移る。
【００７０】
ステップＳ１４０では、上記フラグを「タグ作成印刷モード」を表す１にして、次のステップＳ１５０に移る。
【００７１】
ステップＳ１５０では、操作者により操作部１０２を介してタグレイアウトデータ（被印刷物に対する無線タグラベルＴの貼り付け領域の配置情報）の入力があったか否かを判定する。このタグレイアウトデータの入力は、例えば無線タグラベルＴの貼り付け領域を被印刷物（Ａ４用紙等）の上端又は下端、若しくはさらに左右に寄せた場合の位置、無線タグラベルの縦向き又は横向き等のフォーマットが予め複数設定されており、それらフォーマットの中から操作者が操作部１０２を介して選択入力することにより行われる。タグレイアウトの入力があるまで本ステップＳ１５０を繰り返し、入力があった場合には次のステップＳ１６０に移る。
【００７２】
ステップＳ１６０では、上記ステップＳ１５０で入力されたタグレイアウトデータに基づきタグレイアウトを決定し、次のステップＳ１８０に移る。
【００７３】
なお、先のステップＳ１３０において、操作者により通常印刷モードが選択入力されている場合には、判定が満たされずにステップＳ１６５に移り通常印刷モードとなり、次のステップＳ１７０で無線タグラベルＴの貼り付け領域を含まない通常の印刷物としてのレイアウトを決定し、次のステップＳ１８０に移る。
【００７４】
ステップＳ１８０では、以上の手順で設定したファイルデータ及びレイアウトデータに基づき、プリンタ４００に送信するための印刷データを作成する。なお、タグ作成印刷モードの場合には、この印刷データに上記設定されたレイアウトデータに基づくタグ貼付枠Ｌ（さらに貼付枠の中にテキストデータを含めてもよい。後述の図９参照）の描画データも含まれる。そして、本ルーチンを終了する。
【００７５】
図５は、上記印刷タグ作成時にプリンタ４００の制御回路４０２によって実行される制御手順を表すフローチャートである。
【００７６】
まず、ステップＳ２０５において、ＰＣ１００から通信回線５を介して印刷データを受信したか否かを判定する。印刷データを受信するまで本ステップＳ２０５を繰り返す。前述のステップＳ１５においてＰＣ１００から印刷データが送信され、当該データを受信した場合、判定が満たされて次のステップＳ２１０に移る。
【００７７】
ステップＳ２１０では、制御信号を出力して印字ヘッド４０１を起動させ、上記ステップＳ２０５で受信した印刷データに基づき被印刷物に印刷を行う。
【００７８】
次のステップＳ２１５では、上記ステップＳ２０５で受信した印刷データ（言い換えれば印刷対象であるファイルデータ）を被印刷物に対し全て印刷したか否かを判定する。印刷が完了していない場合、判定が満たされずに上記ステップＳ２１０に戻り、印刷を継続する。印刷が完了している場合、判定が満たされて次のステップＳ２２０に移る。
【００７９】
ステップＳ２２０では、通信制御部４０３及び通信回線５を介しＰＣ１００に印刷完了信号を送信する。
【００８０】
次のステップＳ２２５では、ＰＣ１００から通信回線５を介してタグデータを受信したか否かを判定する。タグデータを受信していない場合には、通常印刷モードであるため本フローを終了する。一方、前述のステップＳ２５においてＰＣ１００からタグデータが送信され、当該データを受信した場合、判定が満たされて次のステップＳ２３０に移る。
【００８１】
ステップＳ２３０では、上記ステップＳ２２５で受信したタグデータ（タグ作成指示信号）を、通信制御部４０３及び接続手段２を介してタグラベル作成装置３００に送信する。
【００８２】
次のステップＳ２３５では、タグラベル作成装置３００による無線タグラベルＴの作成が完了したか否かを、タグラベル作成装置３００から送信されるタグ作成完了信号を接続手段２を介して受信したか否かにより判定する。タグ作成完了信号を受信していない場合にはステップＳ２４０に移り、予め定められた所定の時間が経過したか否かを判定する。経過していない場合にはステップＳ２３５に戻り、再びタグラベル作成装置３００からタグ作成完了信号を受信したか否かを判定する。所定の時間が経過している場合には、ステップＳ２４５に移り、図示しないプリンタ４００の表示部に制御信号を出力して対応するエラー表示（例えば「タグラベル作成が正常に終了しませんでした」等）を行わせ、操作者に対しエラー報知を行う（表示に限らず音声で報知してもよい）。そして、本フローを終了する。
【００８３】
一方、上記ステップＳ２３５において、タグラベル作成装置３００からタグ作成完了信号を受信している場合には、ステップＳ２５０に移る。
【００８４】
ステップＳ２５０では、タグ作成完了信号を通信制御部４０３及び通信回線５を介してＰＣ１００に送信する。そして、本フローを終了する。
【００８５】
図６は、上記印刷タグ作成時にタグラベル作成装置３００の制御回路３０２によって実行される制御手順を表すフローチャートである。
【００８６】
まずステップＳ３１０において、プリンタ４００から接続手段２を介してタグデータを受信したか否かを判定する。タグデータを受信するまで本ステップＳ３１０を繰り返す。前述のステップＳ２３０においてプリンタ４００からタグデータが送信され、当該データを受信した場合、判定が満たされて次のステップＳ４００に移る。
【００８７】
ステップＳ４００では、上記ステップＳ３１０で受信したタグデータに基づき、当該タグデータ中の印字情報（この例ではファイル名）に応じた印字ヘッド３０５による印字を行うと共に、タグデータ中の書き込み情報（タグＩＤ、ファイルアクセス情報）の無線タグ回路素子ＴoのＩＣ回路部１５０に対する書き込みを行い、無線タグラベルＴを作成するタグラベル作成処理を行う。
【００８８】
次のステップＳ３２０では、タグ作成完了信号を通信制御部３０８及び接続手段２を介してプリンタ４００に送信する。そして、本フローを終了する。
【００８９】
図７は、上記ステップＳ４００の詳細手順を表すフローチャートである。
【００９０】
まずステップＳ４１０において、上記ステップＳ３１０でプリンタ４００から受信したタグデータに基づき、当該タグデータ中の印字情報（この例ではファイル名）及び書き込み情報（タグＩＤ、ファイルアクセス情報）を取得する。
【００９１】
その後、ステップＳ４２０に移り、高周波回路３０１によりアクセス情報を生成して装置側アンテナ３０６を介して無線タグ回路素子Ｔoへ送信し、ＩＣ回路部１５０へ上記ステップＳ４１０で取得した書き込み情報の書き込みを行う。また、上記ステップＳ４１０で取得した印字情報に基づいた印字ヘッド３０５による印字を行う。
【００９２】
次のステップＳ４３０で、テープ切断を行って１つの無線タグ回路素子Ｔoを備えた無線タグラベルＴを作成し、このルーチンを終了する。
【００９３】
図８は、以上説明した印刷タグ作成時に行われる制御において、ＰＣ１１０、プリンタ４００、及びタグラベル作成装置３００間で行われる信号の送受信を時系列的に示す図である。
【００９４】
この図８において、まずＰＣ１１０で作成された印刷データが図中矢印５０に示すようにプリンタ４００に送信され（前述のステップＳ１５参照）、これによりプリンタ４００は印刷を開始する（前述のステップＳ２０５、ステップＳ２１０参照）。そして、プリンタ４００は、印刷が完了して印刷物１の作成が完了したら、図中矢印５１に示すようにＰＣ１１０に印刷完了信号を送信する（前述のステップＳ２１５、ステップＳ２２０参照）。この印刷完了信号を受信したＰＣ１１０は、タグ作成印刷モードである場合には、作成したタグデータを図中矢印５２に示すようにプリンタ４００に送信する（前述のステップＳ２０、ステップＳ３０及びステップＳ３５参照）。このタグデータを受信したプリンタ４００は、図中矢印５３に示すようにタグラベル作成装置３００に当該タグデータを送信する（前述のステップＳ２２５、ステップＳ２３０参照）。このタグデータを受信したタグラベル作成装置３００は、無線タグラベルＴの作成を開始する（前述のステップＳ３１０、ステップＳ４００参照）。
【００９５】
タグラベル作成装置３００は、無線タグラベルＴの作成が完了したら、図中矢印５４に示すようにタグ作成完了信号をプリンタ４００に送信する（前述のステップＳ４００、ステップＳ３２０参照）。このタグ作成完了信号を受信したプリンタ４００は、図中矢印５５に示すようにＰＣ１００にタグ作成完了信号を送信する（前述のステップＳ２３５、ステップＳ２５０参照）。
【００９６】
図９（Ａ）は、以上の手順によりプリンタ４００で作成された印刷物１及びタグラベル作成装置３００で作成された無線タグラベルＴの全体概略構造の一例を表す上面図であり、図９（Ｂ）は、印刷物１に無線タグラベルＴを貼り付けて生成される印刷タグ１−Ｔの全体概略構造の一例を表す上面図である。またユーザが別のフォーマットを選択した場合の例を図９（Ｃ）に示した。これは無線タグラベルＴを右上に貼付するフォーマットを選択した場合である。
【００９７】
図９（Ａ）において、印刷物１の表面には、印刷対象であるファイルデータ（この例では当該ファイルデータのファイル名は「文書１」）が印刷されており、その下端右側には無線タグラベルＴの貼り付け位置を表すタグ貼付枠Ｌ（識別子）が印刷されている（さらにこの例では貼付枠Ｌの内部に「タグ貼付」の文字が印刷されている）。なお、ここではタグ貼付枠Ｌを無線タグラベルＴの形状に合わせた形状で図示したが、これに限られず、例えば無線タグ回路素子Ｔo自体の形状や、無線タグ回路素子Ｔoをタグテープ３０３に配置する前に当該無線タグ回路素子Ｔoを保護するために設けられるアンテナ基材（図示せず）の形状等、無線タグ回路素子Ｔoの配置位置が識別できるものであればよい。また、貼付枠Ｌの内部の文字は上記以外の文字、例えばファイル名である「文書１」等でもよいし、また必ずしも印字しなくともよい。
【００９８】
一方、無線タグラベルＴはラベル状に形成されており、略四角形状の基材と、この基材に配置された、情報を記憶するＩＣ回路部１５０とこのＩＣ回路部１５０に接続されるアンテナ１５１とを備えた無線タグ回路素子Ｔoとから構成されている。基材の表側（上面）には、この無線タグラベルＴが貼り付けられる印刷物１の印刷されたファイルデータの識別情報であるファイル名「文書１」が印字された印字領域Ｓを備えている。
【００９９】
そして、図９（Ｂ）に示すように、ユーザが印刷物１に対しタグ貼付枠Ｌに合わせるように無線タグラベルＴを貼り付けることで、印刷タグ１−Ｔが生成される。
【０１００】
図１０は、上記無線タグラベルＴに備えられた上記無線タグ回路素子Ｔoの機能的構成の一例を表すブロック図である。
【０１０１】
図１０において、無線タグ回路素子Ｔoは、上記タグラベル作成装置３００のアンテナ３０６や後述する無線タグ回路素子Ｔoの読み取り機能を備えたリーダ２００のアンテナ２１０と短波帯(例えば13.56MHz)、ＵＨＦ帯、又はマイクロ波帯等の高周波を用いて非接触で信号の送受信を行うアンテナ１５１と、このアンテナ１５１に接続されたＩＣ回路部１５０とを有している。
【０１０２】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【０１０３】
変復調部１５６は、アンテナ１５１により受信された上記タグラベル作成装置３００のアンテナ３０６やリーダ２００のアンテナ２１０からの通信信号の復調を行うと共に、上記制御部１５７からの返信信号に基づき、上記アンテナ３０６，２１０より受信された搬送波を変調反射する。
【０１０４】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【０１０５】
図１１は、上記のようにしてタグラベル作成装置３００で作成された無線タグラベルＴが有する無線タグ回路素子ＴoのＩＣ回路部１５０の上記メモリ部１５５のデータ構成の一例を表す図である。
【０１０６】
この図１１に示す例では、無線タグ回路素子ＴoのＩＣ回路部１５０の上記メモリ部１５５に記憶されるデータは、前述した無線タグ回路素子Ｔoの識別情報であるタグＩＤと、印刷物１の印刷対象であるファイルデータの保存先の情報であるファイルアクセス情報とこれらのデータの有効性を示す誤り検出符号ＣＲＣ（Cyclic Redundancy Check）から構成されている。
【０１０７】
図１２は、印刷タグ読み取り時における印刷管理システムの全体構成を表すシステム構成図である。
【０１０８】
この図１２において、印刷管理システム１０Ｂ（ここでは印刷タグ読み取り時の状態を示す）は、上記タグラベル作成装置３００で作成した無線タグラベルＴから無線通信により情報の読み取りを行うためのアンテナ２１０（読み取り装置側通信手段）を有する上記リーダ２００と、このリーダ２００と例えばＵＳＢケーブル等の接続手段３を介して接続され、表示部１０１及び操作部１０２等を有する上記ＰＣ１００とを備えている。なお、ＰＣ１００とリーダ２００とは、前述の通信回線５を介してネットワーク経由で接続されていてもよい。
【０１０９】
図１３は、上記印刷管理システム１０Ｂを構成するＰＣ１００及びリーダ２００の詳細機能を表す機能ブロック図である。この図１３において、リーダ２００は、上記無線タグラベルＴに備えられる無線タグ回路素子Ｔoのアンテナ１５１との間で無線通信により信号の授受を行う上記アンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２と、操作者が操作可能な適宜のボタン、キー等を備えた操作部２０３と、上記ＰＣ１００との間で接続手段３を介して行われる通信の制御を行う通信制御部２０４とを有する。
【０１１０】
このような構成において、上記リーダ２００で印刷タグ１−Ｔに貼付された無線タグラベルＴの無線タグ情報を読み取る際には、印刷タグ１−Ｔ（無線タグラベルＴ）をリーダ２００側に近接させる（通信可能範囲に存在させる）。このとき、前述したように、無線タグラベルＴの無線タグ回路素子ＴoのＩＣ回路部１５０には、印刷タグ１−Ｔ（印刷物１）に印刷された印刷対象であるファイルデータの格納場所に関するファイルアクセス情報が記憶保持されており、この情報がリーダ２００側に取得されることで、上記ファイルアクセス情報に基づいてファイルデータがＰＣ１００のデータベース１０３より読み込まれる。
【０１１１】
図１４は、上記無線タグラベルＴの無線タグ情報の読み取り時にリーダ２００の制御回路２０２によって実行される制御手順を表すフローチャートである。
【０１１２】
この図１４において、まずステップＳ５１０において、高周波回路２０１及びアンテナ２１０を介し、無線タグラベルＴの無線タグ回路素子ＴoのＩＣ回路部１５０に記憶された情報を読み取るための信号を送信する。詳細には、例えば、無線タグ回路素子Ｔoに記憶された情報を読み出すための「Scroll ALL ID」信号（又は「Ping」信号）を生成して高周波回路２０１を介して通信範囲内に存在する無線タグ回路素子Ｔoに送信され、返信を促す。
【０１１３】
その後、ステップＳ５２０に移り、上記「Scroll ALL ID」信号に対応し無線タグ回路素子Ｔoから送信（返信）されたリプライ信号がアンテナ２１０を介し受信され、高周波回路２０１を介し制御回路２０２へ取り込まれたかどうかを判定する。
【０１１４】
リプライ信号が受信されていなければ判定が満たされず、ステップＳ５１０に戻って同様の手順を繰り返す。リプライ信号が受信されたらステップＳ５２０の判定が満たされ、ステップＳ５３０へ移る。
【０１１５】
ステップＳ５３０では、上記無線タグ回路素子Ｔoから受信されたリプライ信号の中から、ファイルデータの保存先の情報であるファイルアクセス情報を読み出して取得する。なお、これらの読み出した情報は適宜の記憶手段（例えば制御回路２０２が有するメモリ等）に一時的に記憶される。
【０１１６】
次に、ステップＳ５４０において、通信制御部２０４及び接続手段３を介してＰＣ１００の制御回路１０５に制御信号を出力し、上記ステップＳ５３０で取得したファイルアクセス情報を元にデータベース１０３へファイルデータの問い合わせを行う。
【０１１７】
次のステップＳ５５０において、上記ステップＳ５４０の問い合わせに対応したファイルデータをデータベース１０３から読み出すと共に、そのファイルデータに対応した所定のアプリケーション（例えば日本語ソフト、描画ソフト等）を取得する。なお、これら読み出した電子ファイルデータ及びアプリケーションデータは適宜の記憶手段（例えばＰＣ１００の制御回路１０５が有するＲＡＭ等）に一時的に記憶される。また、上記アプリケーションについては、ファイルデータの種類に応じて適宜のアプリケーション（ワープロソフト等）を選択するようになっている。
【０１１８】
そして、ステップＳ５６０において、通信制御部２０４及び接続手段３を介してＰＣ１００の制御回路１０５に制御信号を出力し、上記ステップＳ５５０で取得したアプリケーションを起動させる。
【０１１９】
その後、ステップＳ５７０において、通信制御部２０４及び接続手段３を介してＰＣ１００の制御回路１０５に制御信号を出力し、上記起動したアプリケーション上でファイルデータを開く。そして本フローを終了する。
【０１２０】
なお、以上では、ファイルデータをＰＣ１００のデータベース１０３から取得した後、自動でアプリケーションを用いて開くようにしたが、これに限られず、データベース１０３からの取得のみ行うようにし、その後のファイル処理については操作者が行うようにしてもよい。また、以上では、リーダ２００の制御回路２０２によって無線タグ情報の読み取り及びデータベース１０３からのファイルデータの取得等を行うようにしたが、無線タグ情報の読み取りまではリーダ２００の制御回路２０２によって行い、その後のファイルデータの取得等についてはＰＣ１００の制御回路１０５側で行うようにしてもよい。
【０１２１】
以上において、プリンタ４００の制御回路４０２は、請求項１記載のタグ作成指示信号をタグラベル作成装置へ出力する作成指示出力手段を構成する。また、制御回路４０２によって実行されるステップＳ２２５は、請求項２記載のファイルデータの格納先情報を操作端末より取得する情報取得手段を構成する。
【０１２２】
また、タグラベル作成装置３００の制御回路３０２によって実行されるステップＳ４２０は、請求項６記載のファイルデータの格納先情報又はこれに対応する情報の書き込みを行う書き込み制御手段を構成する。さらに、リーダ２００の制御回路２０２によって実行されるステップＳ５３０は、請求項１５記載のファイルデータの格納先情報又はこれに対応する情報を取得する読み取り装置側情報取得手段を構成する。
【０１２３】
以上のように構成した本実施形態のプリンタ４００においては、ＰＣ１００から印刷データを入力すると、印字ヘッド４０１が被印刷物に対し印刷対象であるファイルデータに対応した印刷を行う。そしてこの印字ヘッド４０１による印刷に対応して、制御回路４０２が通信制御部４０３及び接続手段２を介してタグラベル作成装置３００へタグデータを出力する。タグラベル作成装置３００ではこれに応じて、当該ファイルデータの格納先情報を取得可能な無線タグラベルＴを作成する。
【０１２４】
この作成された無線タグラベルＴを、上記印字ヘッド４０１で対応するファイルデータを印刷した印刷物１に貼付するようにすれば、これにより作成された印刷タグ１−Ｔを手にしたユーザが当該印刷タグ１−Ｔのファイルデータの取得を意図する場合、印刷タグ１−Ｔに貼付された無線タグラベルＴの無線タグ回路素子Ｔoに対し情報読み取りを行うことでファイルデータの格納先情報（電子アドレス）を取得し、これを用いてファイルデータに容易にアクセスすることができる。このようにして、印刷物からその印刷物のデータそのものを容易に取得することができるので、ユーザの利便性を向上することができる。
【０１２５】
また、本実施形態では特に、無線タグ回路素子Ｔoの配置位置を表すタグ貼付枠Ｌを被印刷物に印刷する。これにより、ユーザが、印刷物１に対し、容易かつ確実に無線タグラベルＴを貼り付けることができる。
【０１２６】
また、本実施形態では特に、タグラベル作成装置３００の印字ヘッド３０５でタグテープ３０３のうち無線タグ回路素子Ｔoに対応した領域に対応するファイルデータを識別可能な印字（この例ではファイル名の印字）を行う。これにより、当該無線タグラベルＴが対応するファイルデータの印刷物１用であることを視覚的に明らかにすることができ、印刷物１と無線タグラベルＴとの結びつきを明確化できる。この結果、ラベルの貼り間違い等を確実に防止することができる。
【０１２７】
なお、本発明は、上記の各実施形態に限られず、その趣旨と技術思想の範囲を逸脱しない範囲で更に種々の変形が可能である。以下その変形例を説明する。
【０１２８】
（１）ネットワークに接続されたサーバにファイルデータを格納する場合
上記実施形態では、プリンタ４００による印刷対象であるファイルデータをＰＣ１００が有するデータベース１０３に格納するようにしたが、これに限られず、ＰＣ１００の外部、例えばネットワークに接続されたサーバ等のデータベースに格納するようにしてもよい。
【０１２９】
図１５は、本変形例の印刷タグ生成システムの全体構成を表すシステム構成図であり、前述の図１に対応する図である。図１と同様の部分には同符号を付し説明を省略する。この図１５に示すように、印刷タグ生成システム２０Ａは、通信回線５を介してＰＣ１００、プリンタ４００と情報の送受可能に接続された情報サーバ７を有している。
【０１３０】
図１６は、上記印刷タグ生成システム２０Ａを構成するＰＣ１００、プリンタ４００、タグラベル作成装置３００及び情報サーバ７の詳細機能を表す機能ブロック図であり、前述の図２に対応する図である。図２と同様の部分には同符号を付し説明を省略する。この図１６に示すように、情報サーバ７は印刷物１に印刷されるファイルデータ等が格納されるデータベース７０１（ハードディスク又はメモリ等）を有している。
【０１３１】
本変形例においては、タグラベル作成装置３００により、上記サーバ７のデータベース７０１に対応するファイルアクセス情報が無線タグ回路素子Ｔoに書き込まれ、無線タグラベルＴが作成される。そして、この無線タグラベルＴが印刷物１に貼り付けられ、印刷タグ１−Ｔが生成される。そして、当該印刷タグ１−Ｔ（無線タグラベルＴ）をリーダ２００側に近接させる（通信可能範囲に存在させる）と、無線タグラベルＴの無線タグ回路素子Ｔoに記憶保持されたファイルアクセス情報が取得され、当該ファイルアクセス情報に基づいてファイルデータが情報サーバ７のデータベース７０１より読み込まれる。
【０１３２】
以上説明した変形例においても、上記一実施形態と同様の効果を得ることができる。
【０１３３】
（２）印刷物が複数となる場合
上記実施形態では、ファイルデータを印刷した場合に前述の図９に示すように１ページの印刷物となる場合を例にとって説明したが、例えばファイルデータが大きく、印刷した場合に複数ページの印刷物となるような場合には、それら複数の印刷物を対応させてまとめて１つの無線タグラベルＴを作成するようにしてもよい。
【０１３４】
図１７（Ａ）は、本変形例において作成された印刷物１′にタグラベル作成装置３００で作成された無線タグラベルＴを貼り付けて生成される印刷タグ１−Ｔ′の全体概略構造の一例を表す上面図である。
【０１３５】
詳細な説明は省略するが、本変形例では、ＰＣ１００の制御回路１０５（図示せず）により、複数ページからなる印刷物１′のトップページにタグ貼付枠Ｌを配置するように印刷データが作成され、プリンタ４００により印刷される。その結果、この図１７（Ａ）に示すように、複数ページからなる印刷物１′のトップページのみに対応する無線タグラベルＴが貼り付けられた印刷タグ１−Ｔ′が生成される。
【０１３６】
これにより、ファイルデータを印刷したときに複数ページにわたる場合等、複数の印刷物を一括して取り扱ったほうが便利な場合に、それら複数の印刷物を対応させてまとめて１つの無線タグラベルＴを作成することで、利便性を向上することができる。
【０１３７】
なお、上記とは反対に、複数ページから構成される印刷物の各ページに対しそれぞれに対応する無線タグラベルＴを作成して貼付するようにしてもよい。図１７（Ｂ）は、この場合において、印刷物１″の各ページにタグラベル作成装置３００で作成された無線タグラベルＴをそれぞれ貼り付けて生成される印刷タグ１−Ｔ″の全体概略構造の一例を表す上面図である。
【０１３８】
詳細な説明は省略するが、本変形例では、ＰＣ１００の制御回路１０５により、複数ページからなる印刷物１″の各ページにタグ貼付枠Ｌを配置するように印刷データが作成され、プリンタ４００により印刷される。また、各ページに対応するタグデータがそれぞれ作成され、タグラベル作成装置３００ではこれに対応して各ページごとの無線タグラベルＴ−１，Ｔ−２，Ｔ−３・・・が作成される。なお、この例ではそれぞれの無線タグラベルＴ−１，Ｔ−２，Ｔ−３・・・に対応する文書名とページ数が印字されている。これにより、この図１７（Ｂ）に示すように、複数ページからなる印刷物１″の各ページに対応する無線タグラベルＴ−１，Ｔ−２，Ｔ−３・・・がそれぞれ貼り付けられた印刷タグ１−Ｔ″が生成される。
【０１３９】
この場合、例えば文書１のうちの所定のページのみ電子データを取得したいという場合でも対応することができ、ユーザのニーズにきめ細かく対応することができる。
【０１４０】
（３）タグ書き込み情報のバリエーション
上記実施形態では、タグラベル作成装置３００で無線タグラベルＴを作成する際に、無線タグ回路素子ＴoのＩＣ回路部１５０に無線タグ回路素子Ｔoの識別情報であるタグＩＤと印刷物１の印刷対象であるファイルデータの保存先の情報であるファイルアクセス情報とを書き込むようにしたが、さらに他の情報についても書き込むようにしてもよい。
【０１４１】
例えば、印刷対象であるファイルデータの識別情報（ファイル種類、属性、番号等）を書き込むようにしてもよい。図１８（Ａ）は、この場合における無線タグ回路素子ＴoのＩＣ回路部１５０のメモリ部１５５のデータ構成の一例を表す図である。この例では、無線タグ回路素子Ｔoに記憶されるデータは、タグＩＤ及びファイルアクセス情報と、ファイルデータの識別情報としてのファイル種類情報とこれらのデータの有効性を示す誤り上記検出符号ＣＲＣ（Cyclic Redundancy Check）から構成されている。これにより、リーダ２００で無線タグ情報の読み取りを行った際にファイルデータの識別情報（ファイル種類、属性、番号等）を取得できるので、例えばファイルデータ取得の際にファイルの種類に応じた最適なアプリケーションを自動で起動させることができる等、さらに利便性を向上することができる。
【０１４２】
また例えば、印刷対象であるファイルデータに対応するファイル付加情報（無線タグラベルＴの作成年月日、ファイルを作成したソフトウェアバージョン情報等）を書き込むようにしてもよい。図１８（Ｂ）は、この場合における無線タグ回路素子ＴoのＩＣ回路部１５０のメモリ部１５５のデータ構成の一例を表す図である。この例では、無線タグ回路素子Ｔoに記憶されるデータは、タグＩＤ及びファイルアクセス情報と、ファイル付加情報としてのタグ作成年月日情報と上記誤り検出符号ＣＲＣから構成されている。これにより、リーダ２００で無線タグ情報の読み取りを行った際にファイル作成年月日、ソフトウェアバージョン情報等の電子ファイルの付加情報を取得できるので、さらに利便性を向上することができる。特にタグ作成年月日を書き込む場合には、後述するように当該印刷物の記載内容が最新のものであるかどうか（タグ作成日以降更新されていないかどうか）を判定することが可能となり、特に便利である。
【０１４３】
さらに、例えばファイルデータへのアクセス又はアクセス後の各種処理（編集等）に関する権限情報を書き込むようにしてもよい。この権限情報とは、例えばファイルデータの機密性等に応じ、ファイルデータのダウンロードが可能な者を限定的に指定したり、あるいは各人物毎に処理動作別の権限範囲設定をしたり（Ａさんはデータのダウンロードまで可能だが、Ｂさんはダウンロード後データの編集まで可能等）、若しくは人物識別をせずに各処理動作別にパスワードを設定する情報等のことである。図１８（Ｃ）は、この場合における無線タグ回路素子ＴoのＩＣ回路部１５０のメモリ部１５５のデータ構成の一例を表す図である。この例では、無線タグ回路素子Ｔoに記憶されるデータは、タグＩＤ及びファイルアクセス情報と、権限情報としての編集パスワード情報（当該パスワードを入力することによりダウンロードしたファイルデータの編集が可能となる）と上記誤り検出符号ＣＲＣから構成されている。
【０１４４】
これにより、印刷タグを作成するユーザの印刷物管理態様等に応じ、上述したように例えばファイルデータのダウンロードが可能な者を限定的に指定したり、あるいは各人物毎に処理動作別の権限範囲設定をしたり、若しくは人物識別をせずに各処理動作別にパスワードを設定する等が可能となり、さらに多種多様な印刷物管理が可能となる。
【０１４５】
（４）タグラベルの印字態様のバリエーション
上記実施形態では、タグラベル作成装置３００で無線タグラベルＴを作成する際に、印字ヘッド３０５により印刷対象であるファイルデータのファイル名を印字するようにしたが、これに限られず、ファイル番号やファイル種類等、ファイルを識別可能な情報であれば他の識別情報でもよい。
【０１４６】
また、上記識別情報以外にも、例えば図１９に示すように、ファイルデータが印刷された印刷物のトップページ（又は代表ページ等）のサムネイル画像（縮小画像）Ｐ等を印字するようにしてもよい。
【０１４７】
さらに、上記識別情報や画像情報以外にも、例えば図２０に示すように、無線タグ回路素子Ｔoに書き込んだファイルデータの保存先の情報であるファイルアクセス情報を印字するようにしてもよい。これにより、印刷物に貼付された無線タグラベルＴの無線タグ回路素子Ｔoに記憶され情報読み取りによって取得できるファイルデータの格納先情報を、ユーザが視覚的にも確認することができ、さらに利便性を向上することができる。
【０１４８】
（５）印刷物が最新か否かをチェックする機能を有する場合
図２１は、本変形例におけるリーダ２００の制御回路２０２′（図示せず）によって実行される制御手順を表すフローチャートであり、前述の図１４に対応する図である。図１４と同様の手順には同符号を付し説明を省略する。
【０１４９】
なお、本変形例においては、前述の図１８（Ｂ）に示すように、無線タグ回路素子Ｔoに記憶されるデータは、タグＩＤ及びファイルアクセス情報と、ファイル付加情報としてのタグ作成年月日情報とから構成されているものとする。
【０１５０】
図２１において、ステップＳ５１０及びステップＳ５２０は図１４と同様であり、無線タグ回路素子Ｔoに記憶された情報を読み出すための「Scroll ALL ID」信号（又は「Ping」信号）を通信範囲内に存在する無線タグ回路素子Ｔoに送信し、これに対応し無線タグ回路素子Ｔoから送信（返信）されたリプライ信号を受信したら次のステップＳ５３０Ａに移る。
【０１５１】
ステップＳ５３０Ａでは、上記無線タグ回路素子Ｔoから受信されたリプライ信号の中から、ファイルデータの保存先の情報であるファイルアクセス情報及び無線タグラベルＴの作成年月日情報を読み出して取得する。なお、これらの読み出した情報は適宜の記憶手段（例えば制御回路２０２が有するメモリ等）に一時的に記憶される。
【０１５２】
次のステップＳ５４０及びステップＳ５５０で、上記取得したファイルアクセス情報に基づき、ファイルデータをデータベース１０３から読み出すと共に、そのファイルデータに対応した所定のアプリケーションを取得した後、次のステップＳ５５１に移る。
【０１５３】
ステップＳ５５１では、上記ステップＳ５５０で取得したファイルデータ（詳細には当該データの更新年月日情報）と、先のステップＳ５３０Ａで無線タグ回路素子Ｔoから取得した無線タグラベルＴの作成年月日情報とを比較し、データベース１０３に格納されたファイルデータがタグ作成日以降に更新されているか否かを判定する。更新されていない場合には次のステップＳ５６０及びステップＳ５７０で対応するアプリケーションを起動させ、上記ステップＳ５５０で取得したファイルデータを開く。
【０１５４】
一方、上記ステップＳ５５１において、ファイルデータがタグ作成日以降に更新されている場合には、次のステップＳ５５２に移り、通信制御部２０４及び接続手段３を介してＰＣ１００の制御回路１０５に制御信号を出力し、表示部１０１にファイルデータが更新されている旨の表示を行って操作者に報知する。その後、ステップＳ５６０及びステップＳ５７０で対応するアプリケーションを起動させ、上記更新されたファイルデータを開く。そして本フローを終了する。
【０１５５】
上記変形例によれば、ファイルデータ取得時に当該ファイルデータの内容がタグラベル作成時以降に更新されているかどうかを判定することにより、当該無線タグラベルＴが貼付された印刷タグ１−Ｔが最新のものであるかどうかを確認することができる。この結果、印刷タグ１−Ｔが最新のものではなかった場合等には、改めて当該ファイルデータ（の最新版）を印刷装置で印刷する等の方策をとることが可能となり、さらに利便性を向上することができる。
【０１５６】
（６）ファイルデータそのものをタグに書き込む場合
上記実施形態では、無線タグ回路素子Ｔoにファイルデータの格納先情報を書き込み、リーダで無線タグ情報を読み取った際にこの格納先情報を取得して格納先にアクセスすることでファイルデータを取得するようにしたが、これに限られない。すなわち、無線タグ回路素子Ｔoの記憶容量に余裕がある場合には、ファイルデータそのもの（印刷対象であるファイルデータそのものでもよいし、例えば当該ファイルデータを印刷した印刷物１の画像データ等でもよい）を書き込むようにしてもよい。
【０１５７】
図２２は、本変形例の制御回路１０５′（図示せず）によって実行される制御手順を表すフローチャートであり、前述の図３に対応する図である。この図２２において、図３と同様の部分には同符号を付し、説明を省略する。
【０１５８】
図２２において、ステップＳ３〜ステップＳ３０までは前述の図３と同様である。なお、本変形例のステップＳ１０では、ファイルデータが保存された格納先を表すファイルアクセス情報を含むタグデータの作成を行うと共に、印刷対象であるファイルデータそのものを含むタグデータの作成を行っておく。
【０１５９】
次のステップＳ３３において、印刷対象であるファイルデータが所定の大きさ（この場合では無線タグ回路素子ＴoのＩＣ回路部１５０のメモリ部１５５に書き込み可能な大きさ）より大きいか否かの判定を行う。所定の大きさより大きい場合には、ファイルデータそのものを無線タグ回路素子Ｔoに書き込むことが不可能であるので、ステップＳ３５Ａに移り、先のステップＳ１０で作成したファイルアクセス情報を含むタグデータを、通信制御部１０４及び通信回線５を介してプリンタ４００に送信する。一方、ファイルデータが所定の大きさ以下である場合には、ファイルデータそのものを無線タグ回路素子Ｔoに書き込むことが可能であるので、ステップＳ３５Ｂに移り、先のステップＳ１０で作成したファイルデータそのものを含むタグデータを、通信制御部１０４及び通信回線５を介してプリンタ４００に送信する。
【０１６０】
その後のステップＳ４０〜ステップＳ５０は前述の図３と同様であるので説明を省略する。
【０１６１】
図２３は、本変形例において無線タグラベルＴの無線タグ情報の読み取り時にリーダ２００の制御回路２０２′（図示せず）によって実行される制御手順を表すフローチャートであり、前述の図１４に対応する図である。
【０１６２】
この図２３において、ステップＳ５１０〜ステップＳ５２０は前述の図１４と同様である。次のステップＳ５２５では、上記無線タグ回路素子Ｔoから受信されたリプライ信号の中にファイルデータの保存先の情報であるファイルアクセス情報が含まれるか否かを判定する。含まれている場合には、次のステップＳ５３０に移り、当該ファイルアクセス情報を読み出して取得する。その後のステップ５４０〜ステップＳ５７０は前述の図１４と同様である。
【０１６３】
一方、上記ステップＳ５２５において、ファイルアクセス情報が含まれない場合（すなわちファイルデータそのものが含まれる場合）には、ステップＳ５３５に移り、上記無線タグ回路素子Ｔoから受信されたリプライ信号の中からファイルデータを読み出して取得する。その後、ステップＳ５６０及びステップＳ５７０において、起動したアプリケーションで上記無線タグ回路素子Ｔoから取得したファイルデータを開く。
【０１６４】
以上説明した変形例においても、上記一実施形態と同様の効果を得ることができる。
【０１６５】
（７）その他
以上においては、ファイルデータが保存された格納先を表すファイルアクセス情報自体を無線タグ回路素子ＴoのＩＣ回路部１５０に書き込むようにしたが、これに限られず、このファイルアクセス情報と無線タグ回路素子Ｔoの識別情報（タグＩＤ）との組み合わせ情報（いわゆるひも付け情報）をデータベース等に保存しておき、無線タグ回路素子Ｔoには上記組み合わせられたタグＩＤを書き込むようにしてもよい。この場合、リーダにより無線タグ回路素子ＴoからタグＩＤが読み取られると、上記保存された組み合わせ情報と照らし合わせることにより、ファイルアクセス情報を取得することができる。また、上記ファイルアクセス情報が保存された格納先を表すアドレス情報（いわゆる間接アドレス情報）を書き込むようにしてもよい。
【０１６６】
また、以上においては、印刷タグ作成時に、プリンタ４００とタグラベル作成装置３００とを直列に接続し、ＰＣ１００とタグラベル作成装置３００との信号の送受をプリンタ４００を経由して行うようにしたが、これに限られず、ＰＣ１００に対しプリンタ４００とタグラベル作成装置３００とを並列に接続し、ＰＣ１００からプリンタ４００とタグラベル作成装置３００とに対し並行して信号を送受するようにしてもよい。
【０１６７】
また、以上においては、印字及び無線タグ回路素子Ｔoへのアクセスの終了した印字済みタグラベル用テープ３０３をカッタ３０７で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がして無線タグラベルＴを作成しても良く、本発明はこのようなものに対しても適用できる。
【０１６８】
さらに、以上は、タグテープがリール部材の周りに巻回されてロールを構成し、タグテープロールホルダ部３１０内にそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグカード製造装置側のタグテープロールホルダ部に装着して、上記収納部から移送、搬送して印字及び書き込みを行いタグラベルを作成するようにしてもよい。
【０１６９】
さらには長尺平紙状あるいは短冊状のテープやシートをタグラベル作成装置３００外より１枚ずつ所定のフィーダ機構によって移送しタグラベル作成装置３００内へ供給する構成も考えられる。この場合も同様の効果を得る。
【０１７０】
なお、以上で用いた「Scroll ALL ID」信号、「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１７１】
また、以上既に述べた以外にも、上記実施形態や各変形例による手法を適宜組み合わせて利用しても良い。
【０１７２】
その他、一々例示はしないが、本発明は、その趣旨を逸脱しない範囲内において、種々の変更が加えられて実施されるものである。
【図面の簡単な説明】
【０１７３】
【図１】本実施形態の印刷装置を有する印刷管理システムを含む印刷タグ生成システムの全体構成を表すシステム構成図である。
【図２】印刷タグ生成システムを構成するＰＣ、プリンタ及びタグラベル作成装置の詳細機能を表す機能ブロック図である。
【図３】印刷タグ作成時にＰＣの制御回路によって実行される制御手順を表すフローチャートである。
【図４】ステップＳ１００の詳細手順を表すフローチャートである。
【図５】印刷タグ作成時にプリンタの制御回路によって実行される制御手順を表すフローチャートである。
【図６】印刷タグ作成時にタグラベル作成装置の制御回路によって実行される制御手順を表すフローチャートである。
【図７】ステップＳ４００の詳細手順を表すフローチャートである。
【図８】印刷タグ作成時に行われる制御において、ＰＣ、プリンタ、及びタグラベル作成装置間で行われる信号の送受信を時系列的に示す図である。
【図９】プリンタで作成された印刷物及びタグラベル作成装置で作成された無線タグラベルの全体概略構造の一例を表す上面図、印刷物に無線タグラベルを貼り付けて生成される印刷タグの全体概略構造の一例を表す上面図、並びにユーザが別のフォーマットを選択した場合の無線タグラベルの上面図及び印刷タグの上面図である。
【図１０】無線タグラベルに備えられた無線タグ回路素子の機能的構成の一例を表すブロック図である。
【図１１】タグラベル作成装置で作成された無線タグラベルが有する無線タグ回路素子のＩＣ回路部のメモリ部のデータ構成の一例を表す図である。
【図１２】印刷タグ読み取り時における印刷管理システムの全体構成を表すシステム構成図である。
【図１３】印刷管理システムを構成するＰＣ及びリーダの詳細機能を表す機能ブロック図である。
【図１４】無線タグラベルの無線タグ情報の読み取り時にリーダの制御回路によって実行される制御手順を表すフローチャートである。
【図１５】ネットワークに接続されたサーバにファイルデータを格納する場合の変形例における印刷タグ生成システムの全体構成を表すシステム構成図である。
【図１６】印刷タグ生成システムを構成するＰＣ、プリンタ、タグラベル作成装置及び情報サーバの詳細機能を表す機能ブロック図である。
【図１７】印刷物が複数となる場合の変形例において作成された印刷物にタグラベル作成装置で作成された無線タグラベルを貼り付けて生成される印刷タグの全体概略構造の一例を表す上面図である。
【図１８】印刷対象であるファイルデータの識別情報を書き込む場合、印刷対象であるファイルデータに対応するファイル付加情報を書き込む場合、ファイルデータへのアクセス又はアクセス後の各種処理に関する権限情報を書き込む場合における無線タグ回路素子のＩＣ回路部のメモリ部のデータ構成の一例を表す図である。
【図１９】印刷物のトップページのサムネイル画像を印字した場合の印刷タグの一例を表す上面図である。
【図２０】ファイルアクセス情報を印字した場合の印刷タグの一例を表す上面図である。
【図２１】印刷物が最新か否かをチェックする機能を有する場合の変形例におけるリーダの制御回路によって実行される制御手順を表すフローチャートである。
【図２２】無線タグ回路素子の記憶容量に余裕がある場合にファイルデータそのものを書き込む変形例において、制御回路によって実行される制御手順を表すフローチャートである。
【図２３】無線タグ回路素子の記憶容量に余裕がある場合にファイルデータそのものを書き込む変形例において、無線タグラベルの無線タグ情報の読み取り時にリーダの制御回路によって実行される制御手順を表すフローチャートである。
【符号の説明】
【０１７４】
１              印刷物
１′            印刷物
１０            印刷管理システム
１００          ＰＣ（操作端末）
１５０          ＩＣ回路部
１５１          アンテナ
２０２          制御回路（読み取り装置側情報取得手段）
２１０          アンテナ（読み取り装置側通信手段）
３００          タグラベル作成装置
３０２          制御回路（書き込み制御手段）
３０５          印字ヘッド（印字手段）
３０６          アンテナ（作成装置側通信手段）
３０９          搬送装置（搬送手段）
４００          プリンタ（印刷装置）
４０２          制御回路（作成指示出力手段、情報取得手段）
４０１          印字ヘッド（印刷手段）
Ｌ              タグ貼付枠（識別子）
Ｔ              無線タグラベル
Ｔo             無線タグ回路素子
【図１】
2008049683.tif 000003
【図２】
2008049683.tif 000004
【図３】
2008049683.tif 000005
【図４】
2008049683.tif 000006
【図５】
2008049683.tif 000007
【図６】
2008049683.tif 000008
【図７】
2008049683.tif 000009
【図８】
2008049683.tif 000010
【図９】
2008049683.tif 000011
【図１０】
2008049683.tif 000012
【図１１】
2008049683.tif 000013
【図１２】
2008049683.tif 000014
【図１３】
2008049683.tif 000015
【図１４】
2008049683.tif 000016
【図１５】
2008049683.tif 000017
【図１６】
2008049683.tif 000018
【図１７】
2008049683.tif 000019
【図１８】
2008049683.tif 000020
【図１９】
2008049683.tif 000021
【図２０】
2008049683.tif 000022
【図２１】
2008049683.tif 000023
【図２２】
2008049683.tif 000024
【図２３】
2008049683.tif 000025